(57)【特許請求の範囲】
【請求項１】
パルス幅変調信号に応答して発光部に駆動電圧を供給又は遮断する駆動電圧発生部と、
前記駆動電圧発生部に前記パルス幅変調信号を供給し、前記発光部に誤動作が発生した場合、その動作を中止するパルス幅変調信号発生部と、
前記パルス幅変調信号発生部の動作が中止した場合、前記パルス幅変調信号発生部にリセット信号を供給し、前記パルス幅変調信号発生部を再起動させる自動リセット部と、を有し、
前記自動リセット部は、前記発光部に誤動作が発生したか否かを検出して検出信号を出
力する検出回路と、
前記検出信号の供給を受け、前記パルス幅変調信号発生部の動作を再起動させるリセッ
ト信号を出力するパルス発生回路と、を含み、
前記誤動作が発生した場合とは、（１）過電圧が印加された場合（２）発光部に誤動作が発生した場合（３）ノイズが発生して前記パルス幅変調信号発生部の動作が中止した場合のいずれかであることを特徴とするバックライトドライバ。
【請求項２】
前記パルス幅変調信号発生部は、前記発光部に過電圧（ｏｖｅｒ−ｖｏｌｔａｇｅ）が印加された場合、その動作を中止することを特徴とする請求項１に記載のバックライトドライバ。
【請求項３】
前記検出回路は、前記発光部に過電圧が印加されたか否かを検出することを特徴とする請求項１に記載のバックライトドライバ。
【請求項４】
前記検出回路は、前記駆動電圧と基準電圧を比較し、比較した結果に従って検出信号を出力することを特徴とする請求項３に記載のバックライトドライバ。
【請求項５】
前記パルス発生回路は、単安定マルチバイブレータ（ｍｏｎｏ−ｓｔａｂｌｅ  ｍｕｌｔｉｖｉｂｒａｔｏｒ）であることを特徴とする請求項１に記載のバックライトドライバ。
【請求項６】
前記パルス幅変調信号発生部は、電源電圧を供給し、前記リセット信号に応答してターンオン又はターンオフされる電源電圧供給回路と、
前記電源電圧の供給を受け、前記電源電圧が特定の電圧以上になる場合、パワーオンリセット信号を出力するパワーオンリセット回路と、
前記パワーオンリセット信号に応答してターンオン又はターンオフされ、光データの供給を受けて該光データに対応するパルス幅変調信号を出力する信号発生回路とを含むことを特徴とする請求項１に記載のバックライトドライバ。
【請求項７】
前記パルス幅変調信号発生部は、前記駆動電圧と基準電圧を比較し、その比較した結果に従って制御信号を前記信号発生回路に出力する過電圧保護回路をさらに含み、
前記信号発生回路は、前記制御信号及び前記パワーオンリセット信号に応答してターンオン又はターンオフされ、光データの供給を受けて該光データに対応するパルス幅変調信号を出力することを特徴とする請求項６に記載のバックライトドライバ。
【請求項８】
前記過電圧保護回路は、前記駆動電圧と基準電圧を比較し、比較結果を出力する比較部と、
前記比較結果の供給を受けて保存し、保存された情報に対応する制御信号を出力する保存部とを含むことを特徴とする請求項７に記載のバックライトドライバ。
【請求項９】
前記保存部は、フリップフロップであることを特徴とする請求項８に記載のバックライトドライバ。
【請求項１０】
前記保存部は、前記パルス幅変調信号発生部がその動作を再起動する時、リセットされることを特徴とする請求項８に記載のバックライトドライバ。
【請求項１１】
パルス幅変調信号に応答して発光部に駆動電圧を供給又は遮断する駆動電圧発生部と、
前記発光部に誤動作が発生したか否かを検出して検出信号を出力する検出部と、
前記検出信号の供給を受け、リセット信号を出力するパルス発生部と、
電源電圧を供給し、前記リセット信号に応答してターンオン又はターンオフされる電源電圧供給部と、
前記電源電圧が特定の電圧以上になればターンオンされ、光データの供給を受けて該光データに対応するパルス幅変調信号を出力する信号発生部と、を有し、
前記誤動作が発生したとは、（１）過電圧が印加された場合（２）発光部に誤動作が発生した場合（３）ノイズが発生して前記パルス幅変調信号発生部の動作が中止した場合のいずれかであることを特徴とするバックライトドライバ。
【請求項１２】
複数の表示ブロックに区分される液晶パネルと、
前記複数の表示ブロックに対応する複数の発光ブロックを含んで、前記液晶パネルに光を提供する発光部と、
パルス幅変調信号に応答して対応する各々の前記発光ブロックに駆動電圧を供給したり遮断したりする複数の駆動電圧発生部と、
対応する各々の前記駆動電圧発生部に前記パルス幅変調信号を供給し、対応する前記発光ブロックに誤動作が発生した時、その動作を中止させる複数のパルス幅変調信号発生部と、
前記パルス幅変調信号発生部がその動作を中止した時、対応する前記パルス幅変調信号発生部にリセット信号を供給して、対応する前記パルス幅変調信号発生部の動作を再起動させる複数の自動リセット部と、を有し、
前記自動リセット部は、前記発光部に誤動作が発生したか否かを検出して検出信号を出
力する検出回路と、
前記検出信号の供給を受け、前記パルス幅変調信号発生部の動作を再起動させるリセッ
ト信号を出力するパルス発生回路と、を含み、
前記誤動作が発生した時とは、（１）過電圧が印加された場合（２）発光部に誤動作が発生した場合（３）ノイズが発生して前記パルス幅変調信号発生部の動作が中止した場合のいずれかであることを特徴とする液晶表示装置。
【発明の詳細な説明】
【技術分野】
【０００１】
本発明はバックライトドライバ及びこれを含む液晶表示装置に関し、特に自動リセット機能を有するバックライトドライバ及びこれを含む液晶表示装置に関する。
【背景技術】
【０００２】
液晶表示装置は画素電極が具備された第１表示板、共通電極が具備された第２表示板、第１表示板と第２表示板の間に注入された誘電率異方性（ｄｉｅｌｅｃｔｒｉｃ  ａｎｉｓｏｔｒｏｐｙ）を有する液晶層を有する液晶パネルを含む。画素電極と共通電極の間に電界が形成され、この電界の強さを調節することによって液晶パネルを透過する光の量が制御されて所望する画像が表示される。
【０００３】
このような液晶表示装置は自体発光型表示装置ではないため、複数の発光素子及び発光素子の動作を制御するバックライトドライバが具備される。バックライトドライバはタイミングコントローラから輝度に関する光データの入力を受け、光データによって発光素子の動作を制御する（例えば、特許文献１参照）。
【０００４】
特に、最近のバックライトドライバは誤動作に対する保護機能（ｐｒｏｔｅｃｔｉｏｎ  ｆｕｎｃｔｉｏｎ）を具備している場合が多い。すなわち、発光素子に誤動作が発生した場合（例えば、過電圧が印加されたり、過電流が印加された場合、ノイズが発生する場合など）、バックライトドライバの動作は停止する。しかし、このようにバックライトドライバの動作が停止する場合、バックライトドライバを再起動させるためにはユーザがバックライトドライバの電源電圧を改めてターンオンさせなければならない。したがって、非常に小さいノイズが発生してバックライトドライバの動作が停止する場合にも、ユーザはバックライトドライバの電源電圧を改めてターンオンさせなければならないという問題があった。
【０００５】
【特許文献１】大韓民国特許出願公開第２００５−００００９９７号明細書
【発明の開示】
【発明が解決しようとする課題】
【０００６】
そこで、本発明は上記従来の液晶表示装置における問題点に鑑みてなされたものであって、本発明の目的は、自動リセット機能を有するバックライトドライバを提供することにある。
また、本発明の他の目的は、自動リセット機能を有する液晶表示装置を提供することにある。
【課題を解決するための手段】
【０００７】
上記目的を達成するためになされた本発明によるバックライトドライバは、パルス幅変調信号に応答して発光部に駆動電圧を供給又は遮断する駆動電圧発生部と、前記駆動電圧発生部に前記パルス幅変調信号を供給し、前記発光部に誤動作が発生した場合、その動作を中止するパルス幅変調信号発生部と、前記パルス幅変調信号発生部の動作が中止した場合、前記パルス幅変調信号発生部にリセット信号を供給し、前記パルス幅変調信号発生部を再起動させる自動リセット部とを有し、前記自動リセット部は、前記発光部に誤動作が発生したか否かを検出して検出信号を出力する検出回路と、前記検出信号の供給を受け、前記パルス幅変調信号発生部の動作を再起動させるリセット信号を出力するパルス発生回路と、を含み、前記誤動作が発生した場合とは、（１）過電圧が印加された場合（２）発光部に誤動作が発生した場合（３）ノイズが発生して前記パルス幅変調信号発生部の動作が中止した場合のいずれかであることを特徴とする。
【０００８】
また、上記目的を達成するためになされた本発明によるバックライトドライバは、パルス幅変調信号に応答して発光部に駆動電圧を供給又は遮断する駆動電圧発生部と、前記発光部に誤動作が発生したか否かを検出して検出信号を出力する検出部と、前記検出信号の供給を受け、リセット信号を出力するパルス発生部と、電源電圧を供給し、前記リセット信号に応答してターンオン又はターンオフされる電源電圧供給部と、前記電源電圧が特定の電圧以上になればターンオンされ、光データの供給を受けて該光データに対応するパルス幅変調信号を出力する信号発生部と、を有し、前記誤動作が発生したとは、（１）過電圧が印加された場合（２）発光部に誤動作が発生した場合（３）ノイズが発生して前記パルス幅変調信号発生部の動作が中止した場合のいずれかであることを特徴とする。
【０００９】
上記目的を達成するためになされた本発明による液晶表示装置は、複数の表示ブロックに区分される液晶パネルと、前記複数の表示ブロックに対応する複数の発光ブロックを含んで、前記液晶パネルに光を提供する発光部と、パルス幅変調信号に応答して対応する各々の前記発光ブロックに駆動電圧を供給したり遮断したりする複数の駆動電圧発生部と、対応する各々の前記駆動電圧発生部に前記パルス幅変調信号を供給し、対応する前記発光ブロックに誤動作が発生した時、その動作を中止させる複数のパルス幅変調信号発生部と、前記パルス幅変調信号発生部がその動作を中止した時、対応する前記パルス幅変調信号発生部にリセット信号を供給して、対応する前記パルス幅変調信号発生部の動作を再起動させる複数の自動リセット部と、を有し、前記自動リセット部は、前記発光部に誤動作が発生したか否かを検出して検出信号を出力する検出回路と、前記検出信号の供給を受け、前記パルス幅変調信号発生部の動作を再起動させるリセット信号を出力するパルス発生回路と、を含み、前記誤動作が発生した時とは、（１）過電圧が印加された場合（２）発光部に誤動作が発生した場合（３）ノイズが発生して前記パルス幅変調信号発生部の動作が中止した場合のいずれかであることを特徴とする。
【発明の効果】
【００１０】
本発明に係るバックライトドライバ及びこれを含む液晶表示装置によれば、自動リセット機能を有することによりユーザの便利性を改善することができるという効果がある。
【発明を実施するための最良の形態】
【００１１】
次に、本発明に係るバックライトドライバ及びこれを含む液晶表示装置を実施するための最良の形態の具体例を図面を参照しながら説明する。
【００１２】
本発明の利点及び特徴、そしてそれらを達成する方法は添付した図面と共に詳細に後述する実施形態を参照すれば明確になるであろう。しかし本発明は以下で開示する実施形態に限定されるものではなく互いに異なる多様な形態で具現されるものであり、単に本実施形態は本発明の開示が完全になるように、本発明が属する技術分野で通常の知識を有する者に発明の範疇を完全に知らせるために提供されるものであり、本発明は請求項の範囲によってのみ定義される。明細書全体にかけて、同一参照符号は同一構成要素を指称する。
一つの素子（ｅｌｅｍｅｎｔｓ）が他の素子と“接続された（ｃｏｎｎｅｃｔｅｄ  ｔｏ）”または“カップリングされた（ｃｏｕｐｌｅｄ  ｔｏ）”と指称されることは、他の素子と直接接続またはカップリングされた場合または中間に他の素子を介在した場合をすべて含む。反面、一つの素子が他の素子と“直接接続された（ｄｉｒｅｃｔｌｙ  ｃｏｎｎｅｃｔｅｄ  ｔｏ）”または“直接カップリングされた（ｄｉｒｅｃｔｌｙ  ｃｏｕｐｌｅｄ  ｔｏ）”と指称されることは中間に他の素子を介在しないことを表す。明細書全体にかけて同一参照符号は同一構成要素を指称する。“及び／又は”は言及されたアイテムの各々および一つ以上のすべての組合を含む。
たとえば第１、第２等が多様な素子、構成要素及び／又はセクションを記述するために使用されるが、これら素子、構成要素及び／又はセクションはこれら用語によって制限されないことはもちろんである。これら用語は単に一つの素子、構成要素またはセクションを他の素子、構成要素またはセクションと区別するために使用するものである。したがって、以下で言及される第１素子、第１構成要素または第１セクションは本発明の技術的思想内で第２素子、第２構成要素または第２セクションであり得ることはもちろんである。
本明細書で使用された用語は実施形態を説明するためであり、本発明を制限しようとするものではない。本明細書で、単数型は文句で特別に言及しない限り複数型も含む。明細書で使用される“含む（ｃｏｍｐｒｉｓｅｓ）”及び／又は“含む（ｃｏｍｐｒｉｓｉｎｇ）”は言及された構成要素、段階、動作および／または素子は一つ以上の他の構成要素、段階、動作および／または素子の存在または追加を排除しない。
他の定義がないければ、本明細書で使用されるすべての用語（技術及び科学的用語を含む）は本発明が属する技術分野で通常の知識を有する者に共通に理解できる意味で使用され得るものである。また一般的に使用される辞典に定義されている用語は明白に特別に定義されていない限り理想的にまたは過度に解釈されない。
【００１３】
図１〜図３を参照して本発明の第１の実施形態によるバックライトドライバ及びこれを含む液晶表示装置を説明する。
図１は本発明の第１の実施形態による液晶表示装置のブロック図であり、図２はある一画素に対する等価回路図であり、図３は図１のバックライトドライバの動作概念を説明するための概略斜視図である。
【００１４】
まず、図１を参照すると、液晶表示装置１０は液晶パネル３００、ゲートドライバ４００、データドライバ５００、タイミングコントローラ８００、バックライトドライバ９００及び発光部９９０を含む。
ここで、タイミングコントローラ８００は機能的に第１タイミングコントローラ６００と第２タイミングコントローラ７００に区分され得る。第１タイミングコントローラ６００は液晶パネル３００に表示される画像を制御し、第２タイミングコントローラ７００はバックライトドライバ９００を制御することができる。第１タイミングコントローラ６００と第２タイミングコントローラ７００が物理的に分離されないこともあり得る。
【００１５】
まず、液晶パネル３００と等価回路として見る時、複数の表示信号線（Ｇ１〜Ｇｎ、Ｄ１〜Ｄｍ）とこれに接続された複数の画素（未図示）を含む。複数の表示信号線（Ｇ１〜Ｇｎ、Ｄ１〜Ｄｍ）は複数のゲートライン（Ｇ１〜Ｇｎ）と複数のデータライン（Ｄ１〜Ｄｍ）を含む。
【００１６】
液晶パネル３００は複数の画素を含み、図２に一つの画素に対する等価回路を示す。画素ＰＸ、例えばｆ番目（ｆ＝１〜ｎ）ゲートラインＧｆとｇ番目（ｇ＝１〜ｍ）データ線Ｄｇに接続された画素ＰＸは、ゲートラインＧｆおよびデータラインＤｇに接続されたスイッチング素子Ｑｐと、これに接続された液晶キャパシタ（ｌｉｑｕｉｄ  ｃｒｙｓｔａｌ  ｃａｐａｃｉｔｏｒ）Ｃｌｃ及びストレージキャパシタ（ｓｔｏｒａｇｅ  ｃａｐａｃｉｔｏｒ）Ｃｓｔを含む。液晶キャパシタＣｌｃは第１表示板１００の画素電極ＰＥ、液晶層１５０、第２表示板２００の共通電極ＣＥを含む。共通電極ＣＥの一部には色フィルタＣＦが形成されている。
【００１７】
図１に示すデータドライバ５００は、第１タイミングコントローラ６００からデータ制御信号（ＣＯＮＴ１）の供給を受けて画像データ電圧をデータライン（Ｄ１〜Ｄｍ）に印加する。データ制御信号（ＣＯＮＴ１）はＲ、Ｇ、Ｂに対応する画像信号及びデータドライバ５００の動作を制御する信号を含む。データドライバ５００の動作を制御する信号はデータドライバ５００の動作を開始する水平開始信号及び画像データ電圧の出力を指示する出力指示信号などを含むことができる。
【００１８】
ゲートドライバ４００は、第１タイミングコントローラ６００からゲート制御信号（ＣＯＮＴ２）の提供を受けてゲート信号をゲートライン（Ｇ１〜Ｇｎ）に印加する。ここでゲート信号はゲートオン／オフ電圧発生部（未図示）から供給されたゲートオン電圧（Ｖｏｎ）とゲートオフ電圧（Ｖｏｆｆ）の組み合わせからなる。ゲート制御信号（ＣＯＮＴ２）はゲートドライバ４００の動作を制御するための信号であって、ゲートドライバ４００の動作を開始する垂直開始信号、ゲートオン電圧の出力時期を決めるゲートクロック信号及びゲートオン電圧のパルス幅を決定する出力イネーブル信号などを含むことができる。
【００１９】
ゲートドライバ４００又はデータドライバ５００は、複数の駆動集積回路チップの形態で液晶パネル３００の上に直接装着されたり、可撓性印刷回路フィルム（ｆｌｅｘｉｂｌｅ  ｐｒｉｎｔｅｄ  ｃｉｒｃｕｉｔ  ｆｉｌｍ）（未図示）の上に装着されてテープキャリアパッケージ（ｔａｐｅ  ｃａｒｒｉｅｒ  ｐａｃｋａｇｅ）の形態で液晶パネル３００に付着させることもできる。これとは異なり、ゲートドライバ４００又はデータドライバ５００は表示信号線（Ｇ１〜Ｇｎ、Ｄ１〜Ｄｍ）とスイッチング素子（Ｑｐ）などと共に液晶パネル３００に集積させることもできる。
【００２０】
第１タイミングコントローラ６００は外部のグラフィック制御器（未図示）からＲ、Ｇ、Ｂ信号（Ｒ、Ｇ、Ｂ）及びこれらの表示を制御する制御信号（ＸＣＯＮＴ）を受信する。Ｒ、Ｇ、Ｂ信号（Ｒ、Ｇ、Ｂ）および制御信号（ＸＣＯＮＴ）に基づいてデータ制御信号（ＣＯＮＴ１）及びゲート制御信号（ＣＯＮＴ２）を生成する。
【００２１】
制御信号（ＸＣＯＮＴ）の例としては垂直同期信号（Ｖｓｙｎｃ）、水平同期信号（Ｈｓｙｎｃ）、メインクロック（Ｍｃｌｋ）、データイネーブル信号（ＤＥ）などがある。
また第１タイミングコントローラ６００はバックライト制御信号（ＣＯＮＴ３）を第２タイミングコントローラ７００に供給する。バックライト制御信号（ＣＯＮＴ３）は光データ（ＬＤＡＴ）を含み得る。第２タイミングコントローラ７００は第１タイミングコントローラ６００からバックライト制御信号（ＣＯＮＴ３）の入力を受け、光データ（ＬＤＡＴ）をバックライトドライバ９００に供給する。
【００２２】
バックライトドライバ９００は光データ（ＬＤＡＴ）の供給を受けて複数の発光ブロック（ＬＢ１〜ＬＢｋ）に駆動電圧を供給し、複数の発光ブロック（ＬＢ１〜ＬＢｋ）の輝度を調節する。各発光ブロック（ＬＢ１〜ＬＢｋ）は複数の発光素子を含み、発光素子はＬＥＤ（Ｌｉｇｈｔ  Ｅｍｉｔｔｉｎｇ  Ｄｉｏｄｅ）であり得る。各発光ブロック（ＬＢ１〜ＬＢｋ）の輝度は液晶パネル３００に表示される画像によって制御される。例えば、液晶パネル３００は図１及び図３に示したように、複数の発光ブロック（ＬＢ１〜ＬＢｋ）に対応する複数の表示ブロック（ＤＢｉ）に区分することができ、各発光ブロック（ＬＢｉ）の輝度は対応する各表示ブロック（ＤＢｉ）の画像によって制御され得る。
【００２３】
また、本発明の第１の実施形態によるバックライトドライバ９００は誤動作に対する保護機能（ｐｒｏｔｅｃｔｉｏｎ  ｆｕｎｃｔｉｏｎ）と自動リセット機能（ａｕｔｏ  ｒｅｓｅｔ  ｆｕｎｃｔｉｏｎ）を有する。
具体的に説明すれば、発光ブロック（ＬＢ１〜ＬＢｋ）に誤動作が発生した場合、バックライトドライバ９００は動作を中止してこれ以上発光ブロック（ＬＢ１〜ＬＢｋ）に駆動電圧を供給することができない状態があり得る。このような場合、バックライトドライバ９００は自動的にリセットされて再起動することができる。このような機能に対しては図４〜図８を参照して具体的に説明する。
【００２４】
図４は、本発明の第１の実施形態によるバックライトドライバと発光部を示したブロック図である。
図４を参照すると、バックライトドライバ９００は駆動電圧発生部９２０、パルス幅変調（Ｐｕｌｓｅ  Ｗｉｄｔｈ  Ｍｏｄｕｌａｔｉｏｎ）信号発生部９３０、自動リセット部９４０を含む。
【００２５】
駆動電圧発生部９２０は、入力電圧（Ｖｉｎ）の供給を受け、パルス幅変調信号（ＰＷＭ）に応答して発光部９９０に駆動電圧（Ｖｏｕｔ）を供給したり遮断したりする。駆動電圧発生部９２０の例示的な回路については図５を参照して後述する。
【００２６】
パルス幅変調信号発生部９３０は、光データ（ＬＤＡＴ）の供給を受け、駆動電圧発生部９２０にパルス幅変調信号（ＰＷＭ）に出力する。パルス幅変調信号発生部９３０の例示的な回路及び構成のブロックについては図６および図７を参照して後述する。
【００２７】
次に、パルス幅変調信号発生部９３０の動作を以下に説明する。
パルス幅変調信号（ＰＷＭ）が“ハイ”レベルの期間において駆動電圧発生部９２０は発光部９９０に駆動電圧（Ｖｏｕｔ）を供給し、発光部９９０をターンオンさせる。したがって、発光部には電流（ＩＬ）が流れ、光を放射するようになる。一方、パルス幅変調信号（ＰＷＭ）が“ロー”レベルの期間において駆動電圧発生部９２０は発光部９９０に駆動電圧（Ｖｏｕｔ）を供給しないため、発光部９９０はターンオフされる。
【００２８】
ここで、パルス幅変調信号（ＰＷＭ）が“ハイ”レベル期間か“ロー”レベル期間かどうかによって発光部９９０がターンオンされる時間が決定される。従って、発光部９９０がターンオンされる時間が長くなれば輝度は増加する。簡潔に説明すれば、光データ（ＬＤＡＴ）に基づきパルス幅変調信号（ＰＷＭ）のデューティ比が調節され、パルス幅変調信号（ＰＷＭ）のデューティ比にともない輝度が調節される。
【００２９】
本発明の第１の実施形態において、パルス幅変調信号発生部９３０は誤動作に対する保護機能（ｐｒｏｔｅｃｔｉｏｎ  ｆｕｎｃｔｉｏｎ）を具備している。すなわち、発光部９９０に誤動作が発生した場合、パルス幅変調信号発生部９３０はその動作を中止してそれ以降パルス幅変調信号（ＰＷＭ）を供給しない。
ここで、発光部９９０に誤動作が発生する場合とは、発光部９９０に過電圧（ｏｖｅｒ−ｖｏｌｔａｇｅ）が印加された場合、発光部９９０に過電流（ｏｖｅｒ−ｃｕｒｒｅｎｔ）が流れた場合、発光部９９０に印加される電圧又は流れる電流にノイズが多くて、発光部９９０が異常動作をする場合などを例にあげることができる。
【００３０】
図４では、発光部９９０に過電圧が印加されたか否かによってパルス幅変調信号発生部９３０の動作を中止させる場合を示した。パルス幅変調信号発生部９３０は発光部９９０に供給されている駆動電圧（Ｖｏｕｔ）の電圧レベルが特定の電圧以上になる場合、動作を中止させる。
【００３１】
次に、本発明の第１の実施形態において、パルス幅変調信号発生部９３０がその動作を中止した場合、自動リセット部９４０はパルス幅変調信号発生部９３０にリセット信号（ＲＳＴ）を供給してパルス幅変調信号発生部９３０を再起動させる。すなわち、自動リセット部９４０はパルス幅変調信号発生部９３０を自動リセットする機能を有する。
【００３２】
本発明の第１の実施形態では発光部９９０に誤動作が発生して、パルス幅変調信号発生部９３０の動作が中止しても、ユーザがパルス幅変調信号発生部９３０に印加される電源電圧（未図示）を改めてターンオンさせる必要はない。また、動作に大きく影響を及ぼさない非常に小さいノイズが発生してパルス幅変調信号発生部９３０が動作を中止した場合でも、ユーザが電源電圧をターンオンさせる必要はない。したがって、ユーザの便利性を改善することができる。このような自動リセット部９４０の例示的な構成ブロック図に対しては図８を参照して後述する。
【００３３】
図５は、図４の駆動電圧発生部の例示的な回路図である。図５はブーストコンバータ（ｂｏｏｓｔ  ｃｏｎｖｅｒｔｅｒ）を例えて示したが、本発明はこれに限定されるものではない。例えば、駆動電圧発生部はバックコンバータ（ｂｕｃｋ  ｃｏｎｖｅｒｔｅｒ）、ＳＥＰＩＣコンバータ（ＳＥＰＩＣ  ｃｏｎｖｅｒｔｅｒ）などのような他の種類のコンバータでもあり得る。
【００３４】
図５を参照すると、駆動電圧発生部９２０は入力電圧（Ｖｉｎ）を昇圧（ｂｏｏｓｔ）し、発光ブロック（ＬＢ１〜ＬＢｋ）の動作に必要な駆動電圧（Ｖｏｕｔ）を発生する。
駆動電圧発生部９２０は、インダクタ（Ｌ）、ダイオード（Ｄ）、キャパシタ（Ｃ）、スイッチング素子（Ｑ１）を含む。具体的には、駆動電圧発生部９２０は入力電圧（Ｖｉｎ）が印加されるインダクタ（Ｌ）と、インダクタ（Ｌ）にアノードが接続され駆動電圧（Ｖｏｕｔ）の出力端子にカソードが接続されたダイオード（Ｄ）と、ダイオード（Ｄ）と接地端子の間に接続されたキャパシタ（Ｃ）と、ダイオード（Ｄ）のアノード端子と接地端子の間に接続されたスイッチング素子を含む。
【００３５】
以下に、駆動電圧発生部９２０の動作を説明する。
パルス幅変調信号（ＰＷＭ）が“ハイ”レベルの場合、スイッチング素子（Ｑ１）がターンオンされ、インダクタ（Ｌ）の電流、電圧特性に従ってインダクタ（Ｌ）の両端に印加される入力電圧（Ｖｉｎ）に比例してインダクタ（Ｌ）を流れる電流が徐々に増加する。
【００３６】
パルス幅変調信号（ＰＷＭ）が“ロー”レベルの場合、スイッチング素子（Ｑ１）がターンオフされインダクタ（Ｌ）を流れる電流はダイオード（Ｄ）を流れ、キャパシタ（Ｃ）の電流、電圧特性に従ってキャパシタ（Ｃ）に電圧が充電される。結果として、入力電圧（Ｖｉｎ）が所定の電圧に昇圧されて駆動電圧（Ｖｏｕｔ）として出力される。
【００３７】
図６は、図４のパルス幅変調信号発生部の例示的なブロック図であり、図７は、図６の信号発生回路と過電圧保護回路の例示的な回路図である。
【００３８】
図６及び図７を参照すると、パルス幅変調信号発生部９３０は電源電圧供給回路９３２、パワーオンリセット（ｐｏｗｅｒ−ｏｎ  ｒｅｓｅｔ）回路９３４、信号発生回路９３６、過電圧保護回路９３８を含む。
【００３９】
電源電圧供給回路９３２は、電源電圧（ＶＤＤ）を供給し、リセット信号（ＲＳＴ）によってターンオン／ターンオフされる。リセット信号（ＲＳＴ）がアクティベイト（ａｃｔｉｖａｔｅ）される期間ターンオフされて、リセット信号（ＲＳＴ）がインアクティベイト（ｉｎａｃｔｉｖａｔｅ）される期間ターンオンされる。
【００４０】
パワーオンリセット回路９３４は、電源電圧（ＶＤＤ）の供給を受け、電源電圧（ＶＤＤ）が特定電圧以上となる場合、パワーオンリセット信号（ＰＯＲ）を供給する。
具体的には、バックライトドライバがターンオンされれば外部電源電圧（未図示）が印加され始め、電源電圧供給回路９３２は外部電源電圧を用いて、電源電圧（ＶＤＤ）を生成し始める。パワーオンリセット信号（ＰＯＲ）は電源電圧（ＶＤＤ）が特定電圧以上になればアクティブにされる信号であって、バックライトドライバが正常に動作することができることを知らせる信号である。
【００４１】
過電圧保護回路９３８は、発光部９９０に供給される駆動電圧（Ｖｏｕｔ）の供給を受け、駆動電圧（Ｖｏｕｔ）が特定電圧以上に上昇したのか否かをチェックし、チェックした結果、駆動電圧（Ｖｏｕｔ）が特定電圧より高い場合、制御信号（ＣＳ）をアクティブにさせる。すなわち、制御信号（ＣＳ）は、発光部９９０に過電圧が印加されたか否かを知らせる信号であって、アクティブとなった制御信号（ＣＳ）によって信号発生回路９３６はターンオフされる。
【００４２】
このような過電圧保護回路９３８は電圧分配部（９３８ａ）と、比較部（９３８ｂ）と、保存部（９３８ｃ）を含み得る。電圧分配部（９３８ａ）は複数の抵抗（Ｒｏｖｐ１、Ｒｏｖｐ２）を含み、駆動電圧（Ｖｏｕｔ）を電圧分配し、検出電圧（Ｖｄｅｔ）を生成する。
【００４３】
比較部（９３８ｂ）は検出電圧（Ｖｄｅｔ）と基準電圧（Ｖｂｇ）を比較して比較結果を出力する。保存部（９３８ｃ）は比較結果の供給を受けて保存し、保存された情報と対応する制御信号（ＣＳ）を出力する。保存部（９３８ｃ）はリセットするためのパワーオンリセット信号（ＰＯＲ）の供給を受けることがきる。すなわち、保存部（９３８ｃ）は、パルス幅変調信号発生部９３０が動作し始めた時、または再起動した時にリセットされる。
【００４４】
保存部（９３８ｃ）は図に示すようにＳＲフリップフロップであり得るが、これに制限されるものではない。例えば、他の種類のフリップフロップでもあり得る。一方、過電圧保護回路９３８は、電圧分配部（９３８ａ）なしに、駆動電圧（Ｖｏｕｔ）と基準電圧を比較して比較結果を保存部（９３８ｃ）に出力しても構わない。
【００４５】
信号発生回路９３６は、パワーオンリセット信号（ＰＯＲ）及び制御信号（ＣＳ）に応答してターンオン／ターンオフされ、光データ（ＬＤＡＴ）の供給を受けて光データ（ＬＤＡＴ）に対応するパルス幅変調信号（ＰＷＭ）を発生させる。信号発生回路９３６は図に示すように光データ（ＬＤＡＴ）、パワーオンリセット信号（ＰＯＲ）、制御信号（ＣＳ）をアンド演算するアンドゲートと、アンドゲートからの出力をバッファリングするバッファを含み得る。
【００４６】
図８は、図４の自動リセット部を例示的に示すブロック図である。
図８を参照すると、自動リセット部９４０は検出回路９４２と、パルス発生回路９４４とを含む。
【００４７】
検出回路９４２は、発光部９９０に誤動作が発生したか否かを検出して検出信号（ＤＥＴ）を出力する。図８では発光部９９０に過電圧が印加されたか否かを検出するものを例示的に示した。具体的には、検出回路９４２は駆動電圧（Ｖｏｕｔ）と基準電圧（Ｖｒｅｆ）を比較し、その比較結果に従って検出信号（ＤＥＴ）を出力する。
【００４８】
パルス発生回路９４４は、検出信号（ＤＥＴ）の供給を受け、パルス幅変調信号発生部９３０の動作を再起動させるリセット信号（ＲＳＴ）を出力する。ここで、パルス発生回路９４４は例えば、単安定マルチバイブレータ（ｍｏｎｏ−ｓｔａｂｌｅ  ｍｕｌｔｉｖｉｂｒａｔｏｒ）であり得る。
【００４９】
単安定マルチバイブレータから出力されたリセット信号（ＲＳＴ）は第１状態（例えば、“ロー”レベル）である時安定であり、第２状態（例えば、“ハイ”レベル）である時不安定である。したがって、リセット信号（ＲＳＴ）は検出信号（ＤＥＴ）に応答して第１状態から第２状態に変化し、第２状態のまま所定時間経過して後第１状態に戻る。したがって、リセット信号（ＲＳＴ）は所定時間の間だけアクティブ状態を保持する信号である。
【００５０】
次に、図６〜図８を参照して、パルス幅変調信号発生部９３０と自動リセット部９４０の動作を説明する。
【００５１】
発光部９９０に誤動作が発生すれば、パルス幅変調信号発生部９３０はその動作が停止する。したがって、駆動電圧（Ｖｏｕｔ）の電圧レベルが低くなる。したがって、駆動電圧（Ｖｏｕｔ）の電圧レベルが基準電圧（Ｖｒｅｆ）より低くなれば検出信号（ＤＥＴ）は“ロー”レベルから“ハイ”レベルに変化する。
【００５２】
パルス発生回路９４４は検出信号（ＤＥＴ）の供給を受けて所定期間の間アクティブ状態を保持するリセット信号（ＲＳＴ）を出力する。アクティベイトされたリセット信号（ＲＳＴ）の供給を受けている間、電源電圧供給回路９３２はターンオフされる。続いて、リセット信号（ＲＳＴ）が改めてインアクティベイトされれば電源電圧提供回路９３２は改めてターンオンされ、電源電圧（ＶＤＤ）を生成し始める。すなわち、リセット信号（ＲＳＴ）によって電源電圧提供回路９３２がターンオフされて、その後ターンオンされる。
【００５３】
電源電圧（ＶＤＤ）が特定電圧以上になれば、パワーオンリセット回路９３４はパワーオンリセット信号（ＰＯＲ）を出力する。過電圧保護回路９３８はパワーオンリセット信号（ＰＯＲ）の供給を受けてリセットされ、信号発生回路９３６はその動作を再起動させて光データ（ＬＤＡＴ）に対応するパルス幅変調信号（ＰＷＭ）を出力する。
【００５４】
図９は、本発明の第２の実施形態によるバックライトドライバと発光部を示したブロック図である。
【００５５】
図９を参照すると、本発明の第２の実施形態が第１の実施形態と異なる点は、発光部９９０に誤動作が発生して動作を中止する時、パルス幅変調信号発生部９３０はエラー信号（ＦＡＵＬＴ）を出力するということである。このようなエラー信号（ＦＡＵＬＴ）は発光部９９０に直列に接続されたスイッチング素子（Ｑ２）をターンオフさせる。したがって、発光部９９０に誤動作が発生して動作を中止する時、発光部９９０に電流が流れなくなる。
したがって、本発明の第２の実施形態は第１の実施形態に比べてさらに安定的に発光部９９０に流れる電流を制御することができる。
【００５６】
駆動電圧発生部９２０、パルス幅変調信号発生部９３０、自動リセット部９４０の動作は図４で説明したものと同一であるため説明を省略する。
【００５７】
上述したようなバックライトドライバ及びこれを含む液晶表示装置は自動リセット機能を有するため、ユーザの利便性を向上させることができる。
【００５８】
尚、本発明は、上述の実施形態に限られるものではない。本発明の技術的範囲から逸脱しない範囲内で多様に変更実施することが可能である。
【図面の簡単な説明】
【００５９】
【図１】本発明の第１の実施形態による液晶表示装置のブロック図である。
【図２】ある一画素に対する等価回路図である。
【図３】図１のバックライトドライバの動作概念を説明するための概略斜視図である。
【図４】本発明の第１の実施形態によるバックライトドライバと発光部を示したブロック図である。
【図５】図４の駆動電圧発生部の例示的な回路図である。
【図６】図４のパルス幅変調信号発生部の例示的なブロック図である。
【図７】図６の信号発生回路と過電圧保護回路の例示的な回路図である。
【図８】図４の自動リセット部を例示的に示すブロック図である。
【図９】本発明の第２の実施形態によるバックライトドライバと発光部を示したブロック図である。
【符号の説明】
【００６０】
１０      液晶表示装置
１００      第１表示板
１５０      液晶層
２００      第２表示板
３００      液晶パネル
４００      ゲートドライバ
５００      データドライバ
６００      第１タイミングコントローラ
７００      第２タイミングコントローラ
８００      タイミングコントローラ
９００      バックライトドライバ
９２０      駆動電圧発生部
９３０      パルス幅変調信号発生部
９３２      電源電圧供給回路
９３４      パワーオンリセット回路
９３６      信号発生回路
９３８      過電圧保護回路
９４０      自動リセット部
９４２      検出回路
９４４      パルス発生回路
９９０      発光部
【図１】
0005419032.tif 000002
【図２】
0005419032.tif 000003
【図３】
0005419032.tif 000004
【図４】
0005419032.tif 000005
【図５】
0005419032.tif 000006
【図６】
0005419032.tif 000007
【図７】
0005419032.tif 000008
【図８】
0005419032.tif 000009
【図９】
0005419032.tif 000010